(57)【要約】【課題】排気ガスの流れを整流し、バーナ装置における燃焼の安定化を図る。【解決手段】排気システムは、エンジンから排出された排気ガスに含まれる粒子状物質を捕集するパティキュレートフィルタと、パティキュレートフィルタの上流に設けられ、触媒を介した酸化反応によって排気ガスを昇温する酸化触媒と、酸化触媒の上流に設けられ、酸化触媒が酸化活性温度となるように、排気流路６から排気ガスの一部を導入して昇温し、昇温した排気ガスの一部を排気流路に導出するバーナ装置８と、バーナ装置の上流から下流方向に延在し、排気ガスの流れを流路方向に制限する１または複数の制限板を有する整流部７とを備える。【選択図】図１
2014047685.tif 000002
【特許請求の範囲】
【請求項１】
エンジンから排出された排気ガスに含まれる粒子状物質を捕集するパティキュレートフィルタと、
前記パティキュレートフィルタの上流に設けられ、触媒を介した酸化反応によって前記排気ガスを昇温する酸化触媒と、
前記酸化触媒の上流に設けられ、該酸化触媒が酸化活性温度となるように、排気流路から前記排気ガスの一部を導入して昇温し、昇温した該排気ガスの一部を前記排気流路に導出するバーナ装置と、
前記バーナ装置の上流から下流方向に延在し、前記排気ガスの流れを流路方向に制限する１または複数の制限板を有する整流部と、
を備えることを特徴とする排気システム。
【請求項２】
前記１または複数の制限板は、前記排気ガスの一部が前記バーナ装置に導入される方向に平行となるように配されることを特徴とする請求項１に記載の排気システム。
【請求項３】
前記整流部は、前記バーナ装置における前記排気ガスの一部が導入される開口部の少なくとも一部を遮るように延在する遮蔽部を有することを特徴とする請求項１または２に記載の排気システム。
【請求項４】
エンジンから排出された排気ガスに含まれる粒子状物質を捕集するパティキュレートフィルタと、
前記パティキュレートフィルタの上流に設けられ、触媒を介した酸化反応によって前記排気ガスを昇温する酸化触媒と、
前記酸化触媒の上流に設けられ、該酸化触媒が酸化活性温度となるように、排気流路から前記排気ガスの一部を導入して昇温し、昇温した該排気ガスの一部を前記排気流路に導出するバーナ装置と、
前記バーナ装置における前記排気ガスの一部が導入される開口部の少なくとも一部を遮るように延在する遮蔽部を有する整流部と、
を備えることを特徴とする排気システム。
【発明の詳細な説明】
【技術分野】
【０００１】
本発明は、排気流路を流れる排気ガスに、バーナ装置で昇温された気体を混合し、酸化触媒の酸化を補助する排気システムに関する。
【背景技術】
【０００２】
エンジンからの排気ガス中において、さらに燃料を燃焼させる場合がある。例えば、ディーゼルエンジンにおける、排気ガスに含まれる煤等の粒子状物質（ＰＭ：Particulate Matter）を除去するパティキュレートフィルタの再生処理等がそれに該当する（例えば、特許文献１）。
【０００３】
かかる再生処理においては、排気ガスを酸化触媒で昇温している。このような酸化触媒を活性温度まで迅速に上昇させるため、空気を別途ヒータで昇温して排気ガスに導入したり（例えば、特許文献２）、排気流路中に燃料を噴射する（例えば、特許文献３、４）技術が知られている。
【先行技術文献】
【特許文献】
【０００４】
【特許文献１】特開平５−２２２９１３号公報
【特許文献２】特開２００５−３２０８８０号公報
【特許文献３】特開２００７−１５４７７２号公報
【特許文献４】特開平８−２６０９４４号公報
【発明の概要】
【発明が解決しようとする課題】
【０００５】
酸化触媒の昇温を補助する熱源としては、上述したヒータや燃料噴射機構の他、排気ガスを昇温するバーナ装置がある。バーナ装置は、排気ガスの一部を導入し、空気等と混合して燃焼、昇温し、昇温した排気ガスを、排気ガスの元の流路に返す。こうすることで、下流の酸化触媒を活性温度まで迅速に上昇させることができる。
【０００６】
このように、バーナ装置では、流動する排気ガスや空気を用いて、燃料を燃焼している。ここで、空気は外部から能動的に吸引しているので安定的に導入することができるが、排気ガスは、バーナ装置の開口部を通じ、エンジンの排気圧に依って導入されるので、その流量や流速はバーナ装置上流の排気ガスの流れに依存することとなる。
【０００７】
しかし、バーナ装置の上流には、エンジンの吸気効率向上のためターボチャージャーが配され、タービンインペラの回転によって排気ガスに旋回流が生じることがある。また、エンジン等との位置関係から排気ガスの流路が湾曲したり、流路を固定するための固定具を取り付けるため、その部分の流路断面が変形することで、排気ガスの偏流が生じることもある。このような旋回流や偏流により、排気ガスの流量や流速が不安定になると、バーナ装置内で安定的な燃焼を維持できず、十分な昇温が為されなかったり、消火するおそれもある。
【０００８】
本発明は、このような課題に鑑み、排気ガスの流れを整流し、バーナ装置における燃焼の安定化を図ることが可能な排気システムを提供することを目的としている。
【課題を解決するための手段】
【０００９】
上記課題を解決するために、本発明の排気システムは、エンジンから排出された排気ガスに含まれる粒子状物質を捕集するパティキュレートフィルタと、パティキュレートフィルタの上流に設けられ、触媒を介した酸化反応によって排気ガスを昇温する酸化触媒と、酸化触媒の上流に設けられ、酸化触媒が酸化活性温度となるように、排気流路から排気ガスの一部を導入して昇温し、昇温した排気ガスの一部を排気流路に導出するバーナ装置と、バーナ装置の上流から下流方向に延在し、排気ガスの流れを流路方向に制限する１または複数の制限板を有する整流部と、を備えることを特徴とする。
【００１０】
１または複数の制限板は、排気ガスの一部がバーナ装置に導入される方向に平行となるように配されてもよい。
【００１１】
整流部は、バーナ装置における排気ガスの一部が導入される開口部の少なくとも一部を遮るように延在する遮蔽部を有してもよい。
【００１２】
上記課題を解決するために、本発明の他の排気システムは、エンジンから排出された排気ガスに含まれる粒子状物質を捕集するパティキュレートフィルタと、パティキュレートフィルタの上流に設けられ、触媒を介した酸化反応によって排気ガスを昇温する酸化触媒と、酸化触媒の上流に設けられ、酸化触媒が酸化活性温度となるように、排気流路から排気ガスの一部を導入して昇温し、昇温した排気ガスの一部を排気流路に導出するバーナ装置と、バーナ装置における排気ガスの一部が導入される開口部の少なくとも一部を遮るように延在する遮蔽部を有する整流部と、を備えることを特徴とする。
【発明の効果】
【００１３】
本発明によれば、排気ガスの流れを整流し、バーナ装置における燃焼の安定化を図ることができる。
【図面の簡単な説明】
【００１４】
【図１】ディーゼルエンジンの排気システムを説明するための説明図である。
【図２】バーナ装置の構造を説明するための説明図である。
【図３】ディーゼルエンジンのアイドル時における必要空気量を比較した説明図である。
【図４】整流部の構造を説明するための斜視図である。
【図５】整流部の他の例を示した斜視図である。
【図６】図１における整流部近傍の部分拡大図である。
【図７】確認試験の内容を説明するための説明図である。
【発明を実施するための形態】
【００１５】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
（排気システム）
図１は、ディーゼルエンジン１の排気システムを説明するための説明図である。図１（ａ）に示すように、ディーゼルエンジン１はレシプロエンジンであり、具体的に、ピストンによってシリンダ内の空気を圧縮して高温高圧化するとともに、燃料タンク２に蓄えられた、軽油、重油等の燃料を燃料ポンプ３や噴射ポンプ４で昇圧して、その高温高圧化された空気中に噴射することで爆発を起こさせ、その爆発によって生じるエネルギーを動力に変える。過給機５は、ディーゼルエンジン１の排気ガスのエネルギーでタービンを回転し、吸気を圧縮して吸気圧を高めることでエンジン出力を向上させる装置である。
【００１７】
排気流路６は、ディーゼルエンジン１の排気口から排出された排気ガスを外部に排出するための配管で構成され、その流路には、上流側から順に、整流部７、バーナ装置８、ディーゼル酸化触媒（ＤＯＣ：Diesel Oxidation Catalyst）９、ディーゼルパティキュレートフィルタ（ＤＰＦ：Diesel Particulate Filter）１０が設けられている。排気システムは、整流部７、バーナ装置８、酸化触媒としてのディーゼル酸化触媒９と、パティキュレートフィルタとしてのディーゼルパティキュレートフィルタ１０とを含んで構成される。以下、ディーゼルパティキュレートフィルタ１０、ディーゼル酸化触媒９、バーナ装置８、整流部７の順に、その機能を説明する。
【００１８】
（ディーゼルパティキュレートフィルタ１０）
ディーゼルパティキュレートフィルタ１０は、図１（ｂ）の縦断面図に示すように、セラミックや金属をハニカム構造に形成した多孔体１０ａで構成される。そして、ディーゼルパティキュレートフィルタ１０は、ディーゼルエンジン１の排気ガス（図１（ｂ）中矢印で示す）に含まれる、例えば１０ミクロン以上の大きさの粒子状物質２０を捕集し、排気ガスから粒子状物質２０を分離する。このように粒子状物質２０が分離された排気ガスは外部に放出される。このとき、ディーゼルパティキュレートフィルタ１０に粒子状物質２０が堆積し過ぎると多孔体１０ａが目詰まりを起こすことがある。目詰まりは排気圧の上昇を招き燃費の悪化や出力低下につながる。そこで以下のディーゼル酸化触媒９が設けられている。
【００１９】
（ディーゼル酸化触媒９）
ディーゼル酸化触媒９は、ディーゼルパティキュレートフィルタ１０の上流に設けられ、例えばプラチナ、パラジウム等の触媒で構成される。そして、ディーゼルエンジン１の排気ガス中に含まれる酸素を利用し、未燃の燃料を触媒燃焼（触媒を介した酸化）させることによって排気ガスを昇温する。昇温された排気ガスは、下流のディーゼルパティキュレートフィルタ１０に流れ、ディーゼルパティキュレートフィルタ１０に堆積した粒子状物質２０を燃焼（酸化）して二酸化炭素として排気させ、ディーゼルパティキュレートフィルタ１０の目詰まりを解消する。かかる一連の処理を本実施形態ではフィルタ再生処理という。
【００２０】
このようなフィルタ再生処理は、ディーゼルパティキュレートフィルタ１０の目詰まりが所定の閾値を超えたことを契機とし、その目詰まりがある程度解消されるまで、所望するタイミングで所望する時間実行されるバッチ処理である。しかし、ディーゼル酸化触媒９は、ディーゼルエンジン１の始動時や低負荷時には、排気ガスの温度が低く酸化が促進される活性温度に達していないことがあり、排気ガスを昇温できず、その下流に位置するディーゼルパティキュレートフィルタ１０において、所望するタイミングでフィルタ再生処理を行うことができない場合がある。そこで、本実施形態では、以下のバーナ装置８を設けている。
【００２１】
（バーナ装置８）
図２は、バーナ装置８の構造を説明するための説明図である。本実施形態では、垂直に交わるＸ軸、Ｙ軸、Ｚ軸を図２に示す通り定義している。バーナ装置８は、気体を昇温し、ディーゼルエンジン１の排気口から排出された排気ガスに加えて、排気ガスの温度を高める。こうして、ディーゼル酸化触媒９の昇温を補助することができる。すなわち、所望するタイミングでディーゼル酸化触媒９を活性温度に昇温してフィルタ再生処理を行うことが可能となる。
【００２２】
バーナ装置８の具体的な構成を説明すると、バーナ装置８の外壁５０は、例えば、矩形の筒状に形成され、Ｚ軸に沿った方向の下方端部が排気流路６と連通し、上方端部が閉塞されている。外壁５０の内部には、外壁５０内部をＸ軸方向に区画する第１仕切部材５２が配される。第１仕切部材５２は、例えば、矩形の板材で構成され、その外周側面のうち３つの側面が外壁５０の閉塞面およびＹ軸方向の内周面に固定され、他の１の側面が排気流路６に突出している（保炎板５２ａ）。かかる外壁５０と第１仕切部材５２によって流入路５４が形成される。流入路５４は、排気流路６に対して開口する開口部５４ａを有しており、排気流路６に流れる排気ガスの一部（例えば２０％程度）が、直接、または、排気流路６に突出した保炎板５２ａに衝突して、開口部５４ａから流入路５４に流入する。
【００２３】
外壁５０内部の第１仕切部材５２で区画された空間のうち、Ｘ軸方向の下流側に位置する空間は、さらに、第２仕切部材５６によってＺ軸方向に区画される。第２仕切部材５６は、例えば、矩形の板材で構成され、外周側面が第１仕切部材５２と外壁５０の内周面とに固定されている。第２仕切部材５６で仕切られたＺ軸上方の空間は火炎を生成するための一次燃焼室５８であり、Ｚ軸下方の空間は燃焼を促進させるための二次燃焼室６０である。
【００２４】
気体供給部６２は、例えば、エアポンプで構成され、一次燃焼室５８に排気ガスとは別の気体、本実施形態においては空気を供給し、一次燃焼室５８内における火炎の生成を助ける。気体供給部６２は、エアポンプに限らず、ファン、コンプレッサ等で構成されてもよい。ここで、第１仕切部材５２には、流入路５４から一次燃焼室５８へ貫通する孔５２ｂが設けられており、当該孔５２ｂによって一次燃焼室５８に空気が導かれる。かかる孔５２ｂは、空気の流量を制限する役割も担う。
【００２５】
ただし、一次燃焼室５８に空気のみを導入するとなると、ある程度、空気を昇温しなければならず、また、火炎の生成に要する空気の絶対量が増大する。そこで、本実施形態においては、上記のように排気流路６から流入路５４に排気ガスの一部を流入させ、空気との混合気（以下、単に空気混合気という。）を生成する。そして、かかる空気混合気を一次燃焼室５８に導入する。
【００２６】
図３は、ディーゼルエンジン１のアイドル時における必要空気量を比較した説明図である。図３を参照して理解できるように、排気ガスを利用せず空気のみを導入した場合と比較して、空気に排気ガスを混合すると各エンジン回転数において必要空気量が少なくて済む。
【００２７】
図２に戻って説明すると、第１仕切部材５２には、流入路５４から二次燃焼室６０へ貫通する孔５２ｃが設けられており、当該孔５２ｃによって二次燃焼室６０に排気ガスが導かれる。かかる孔５２ｃは、二次燃焼室６０に導く排気ガスの流量を制限する役割も担う。
【００２８】
さらに、第２仕切部材５６には、一次燃焼室５８から二次燃焼室６０へ貫通する孔５６ａが設けられており、当該孔５６ａによって一次燃焼室５８で燃焼された空気混合気が二次燃焼室６０に導かれる。かかる孔５６ａは、空気混合気の流量を制限する役割も担う。こうして、一次燃焼室５８および二次燃焼室６０における空気混合気の流速が抑制されるため、一次燃焼室５８においては、着火性および保炎性が向上し、二次燃焼室６０においては、火炎燃焼を開始可能な温度域および酸素濃度域を拡大できる。
【００２９】
一次燃料供給部７０（燃料供給部）は、例えばノズルを有するインジェクタ等の燃料噴射装置で構成され、一次燃焼室５８に燃料を霧状にして供給する。着火部７２は、例えばグロープラグ等の着火装置で構成され、燃料の着火温度以上に加熱されて、着火部７２の熱で気化した燃料と空気混合気を着火する。
【００３０】
燃料保持部７２ａは、着火部７２近傍、例えば、着火部７２の一端を覆う位置に配置され、例えば、金網、焼結金属、金属繊維、ガラス布、セラミック多孔体、セラミックファイバ、軽石等の多孔体で形成され、孔５２ｂから空気混合気が導かれるとともに、一次燃料供給部７０から供給された燃料が燃焼されるまで、当該燃料を一時的に保持する。ここで、燃料保持部７２ａは、多孔体として形成された触媒であってもよい。
【００３１】
邪魔板７４は、例えば矩形の板材で構成され、一端が外壁５０の閉塞面に固定され、他端側が孔５２ｂに対向する位置に配される。邪魔板７４は、孔５２ｂを通って一次燃焼室５８へ流入する空気混合気が、着火部７２に直接衝突する流れを防ぐ。かかる構成により、着火部７２付近の空気混合気の流速を抑制でき、着火性が向上する。
【００３２】
二次燃料供給部７６は、一次燃料供給部７０同様、例えばインジェクタ等の燃料噴射装置で構成され、二次燃焼室６０内に燃料を霧状にして供給する。二次燃焼室６０内では、一次燃焼室５８で発生した種火を増幅するために、二次燃料供給部７６によってさらに燃料が噴射され、排気ガスを巻き込みながら空気混合気の燃焼を促進する。このとき、排気流路６に突出した保炎板５２ａは、二次燃焼室６０の上流に位置し、排気ガスが排気流路６から二次燃焼室６０に直接流入するのを防止する。こうして、二次燃焼室６０において安定的な燃焼が維持される。
【００３３】
そして、昇温後の高温の空気混合気は、排気流路６に流出し、当該バーナ装置８に流入しなかった排気ガスと混ざり合うことで排気ガスの温度を高める。こうして、ディーゼル酸化触媒９を活性温度に昇温し、ディーゼルパティキュレートフィルタ１０においてフィルタ再生処理を行うことが可能となる。
【００３４】
このように、バーナ装置８では、図２に示すように、一次燃焼室５８および二次燃焼室６０において、流入路５４から導入した排気ガスと気体供給部６２から供給された空気との空気混合気を燃焼する。ただし、能動的に吸引される空気と異なり、排気ガスに関しては、流入路５４の開口部５４ａを通じ、エンジンの排気圧に依って導入されるので、その流量や流速はバーナ装置８の上流の排気ガスの流れに依存することとなる。したがって、バーナ装置８の上流において旋回流や偏流が生じると、排気ガスの流量や流速が不安定になり、一次燃焼室５８および二次燃焼室６０において安定的な燃焼を維持できず、十分な昇温が為されなかったり、消火するおそれもある。そこで、本実施形態では、以下の整流部７を設けている。
【００３５】
（整流部７）
整流部７は、図１に示すように、排気流路６の内部に設けられ、バーナ装置８の上流に位置するとともに上流から下流方向に延在し、排気ガスの流れを流路方向に制限する。
【００３６】
図４は、整流部７の構造を説明するための斜視図である。図４に示すように、整流部７は、その側壁７ａが、排気流路６の内周に沿った形状、例えば、円筒形状に形成され、その側壁７ａの内面には、排気流路６に平行な１または複数の制限板７ｂの端部が固定される。かかる制限板７ｂが排気ガスの流れを少なくとも流路方向（Ｘ軸方向）に制限する。図４の例では、制限板７ｂを、排気ガスの一部がバーナ装置８に導入される方向（流入路５４の方向）に平行となるように、すなわち、ＸＺ平面に平行となるように配置する。こうして、Ｙ軸方向への排気ガスの流れも制限され、バーナ装置８近傍を通過する、または、バーナ装置８に流入する排気ガスの流れを安定的に保つことができる。
【００３７】
図５は、整流部の他の例を示した斜視図である。図５（ａ）に示す整流部１７では、制限板７ｂをＸＹ面に平行となるように配置することで、Ｚ軸方向への排気ガスの流れを制限する。図５（ｂ）に示す整流部２７では、制限板７ｂを、ＸＹ面に平行となるように配置するものと、ＸＺ平面に平行となるように配置するものとで直交して構成することで、Ｚ軸方向およびＹ軸方向のいずれにも排気ガスの流れを制限する。図５（ｃ）に示す整流部３７では、側壁７ａの周方向に等間隔な位置から、制限板７ｂを内周側に突出させ、排気流路６を４分割して、Ｚ軸方向およびＹ軸方向のいずれにも排気ガスの流れを制限する。
【００３８】
ここでは、図４、図５に４つの整流部７，１７，２７，３７（以下、単に整流部７という）を例示したが、整流部の形状は例示したものに限らず、Ｘ軸方向以外への排気ガスの流れを制限する様々な形状を採用することができる。また、排気流路６の分割数は、図４、図５に示した数に限らず、分割数は多ければ多いほどよい。
【００３９】
このような整流部７を設けることで、排気流路６内の排気ガスの流れを整流し、バーナ装置８に流入する排気ガスの流量や流速を制限できるので、燃焼の安定化を図ることが可能となる。
【００４０】
上記の整流部７によって、バーナ装置８上流の排気ガスは整流されるが、排気ガスの全体的な流量が増えたり、流速が高まると、流入路５４の開口部５４ａから流入する排気ガスもそれに応じて増加する。すると、気体供給部６２から供給される空気の量と、流入路５４から導入される排気ガスの量との比、すなわち、酸素濃度が異なることとなり、例えば、酸素濃度の低下に応じて、一次燃焼室５８で着火不良が生じたり、二次燃焼室６０で燃焼不良が生じるおそれがある。そこで、本実施形態では、さらに、以下の遮蔽部７ｃを設ける。
【００４１】
図６は、図１における整流部７近傍の部分拡大図である。ここで、遮蔽部７ｃは、整流部７の側壁７ａを下流側に向けて板状に延在して形成され、バーナ装置８における流入路５４の開口部５４ａの少なくとも一部を遮る。このとき、遮蔽部７ｃと保炎板５２ａとの間に隙間（例えば、数ｍｍ）を設け、その幅を調整することで、排気ガスの導入量を制限する。こうすることで、隙間を通過するときの圧損により排気ガスの導入量の変動を抑えて酸素濃度の変動を抑制し、一次燃焼室５８における着火不良や二次燃焼室６０における燃焼不良を確実に防止することができる。
【００４２】
また、排気ガスの流量や流速が変動する場合において、流量が過度に大きい状態や流速が過度に高い状態でも燃焼を維持できるように、気体供給部６２から空気の供給を受けて酸素濃度を高くしているが、遮蔽部７ｃにより排気ガスの導入量を制限すると、排気ガスの流量や流速が安定し、そのように酸素濃度を高める必要がなくなる。したがって、排気ガスの酸素濃度が所定値（例えば１７％）以下であっても、気体供給部６２から空気の供給を受けることなく、燃焼を維持することが可能となる。こうして、気体供給部６２の耐久性を向上することができる。
【００４３】
また、高い酸素濃度を維持する必要がなくなるので、敢えて気体供給部６２を設けず、エンジン負荷が低い場合にのみ、すなわち、排気ガスの酸素濃度がある程度高い場合にのみバーナ装置８を動作させることも可能となる。こうして気体供給部６２にかかるコストを削減することができる。
【００４４】
また、このように、整流部７の側壁７ａに制限板７ｂと遮蔽部７ｃとを一体的に設ける構成により、排気流路６に整流部７を配置するだけで、排気ガスの整流機能と流量制限機能を一度に実現することができ、製造コストの低減を図ることができる。さらに、一体形成された整流部７は、排気流路６に容易に配置できるため、既存の排気システムにおける排気流路６に後付けで配置することが可能となる。
【００４５】
（確認試験）
上述した整流部７の効果を確認するために確認試験を行った。図７は、確認試験の内容を説明するための説明図である。ここでは、整流部７の特に制限板７ｂの効果を確認すべく、図７（ａ）〜（ｅ）の正面図、平面図、側面図のように、バーナ装置８上流の排気ガスの流れに偏流を加えた。具体的に、バーナ装置８の上流に、排気流路６をＹ軸方向からＸ軸方向に９０度転換する湾曲部６ａを共通して設け、さらに、その上流に、図７（ａ）〜（ｅ）に斜線で示したように、排気流路６の断面の１／２の面積に相当する部分を邪魔板６ｂで遮蔽し（形状は半円になる）、その邪魔板６ｂの端部を排気流路６の下流方向に延長する。
【００４６】
したがって、図７（ａ）、図７（ｂ）では、排気流路６が、断面においてＺ軸方向の負方向側の半円部分に制限され（ｄｏｗｎ  ｈｉｇｈ、ｄｏｗｎ）、図７（ｃ）では、排気流路６が、断面においてＺ軸方向の正方向側の半円部分に制限され（ｕｐ）、図７（ｄ）では、排気流路６が、断面においてＸ軸方向の正方向側の半円部分に制限され（ｉｎ）、図７（ｅ）では、排気流路６が、断面においてＸ軸方向の負方向側の半円部分に制限される（ｏｕｔ）。なお、図７（ａ）では、邪魔板６ｂを排気流路６の下流に向かうに連れＺ軸方向の負方向側に偏るよう、すなわち、排気流路６が狭まるように形成し（ｄｏｗｎ  ｈｉｇｈ）、図７（ｂ）は、図７（ｃ）〜図７（ｅ）同様、邪魔板６ｂを排気流路６に平行するように形成した。
【００４７】
上記の５つの条件に基づいて、一次燃焼室５８の圧力、エンジンの回転数１８００ｒｐｍ、０Ｎｍのときの燃料噴射開始からディーゼル酸化触媒（ＤＯＣ）９の入口が所定温度（１９０℃および２２０℃）まで上昇するのに要する時間（昇温時間）、および、未燃燃料の濃度の最大値を測定し、図７（ｆ）の結果を得た。かかる図７（ｆ）の結果を参照すると、制限板７ｂを設けることによって昇温時間が安定的に短縮され、また、未燃燃料の濃度の最大値が低減されているのが理解できる。
【００４８】
以上説明したように、本実施形態の排気システムによれば、排気ガスの流れを整流し、バーナ装置８における燃焼の安定化を図ることが可能となる。
【００４９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【産業上の利用可能性】
【００５０】
本発明は、排気流路を流れる排気ガスに、バーナ装置で昇温された気体を混合し、酸化触媒の酸化を補助する排気システムに利用することができる。
【符号の説明】
【００５１】
１     …ディーゼルエンジン（エンジン）
６     …排気流路
７、１７、２７、３７     …整流部
７ａ   …側壁
７ｂ   …制限板
７ｃ   …遮蔽部
８     …バーナ装置
９     …ディーゼル酸化触媒（酸化触媒）
１０   …ディーゼルパティキュレートフィルタ（パティキュレートフィルタ）
５２ａ  …保炎板
５４ａ  …開口部
【図１】
2014047685.tif 000003
【図２】
2014047685.tif 000004
【図３】
2014047685.tif 000005
【図４】
2014047685.tif 000006
【図５】
2014047685.tif 000007
【図６】
2014047685.tif 000008
【図７】
2014047685.tif 000009